(57)【要約】【課題】記録媒体に記録されたオーディオ情報を再生するオーディオ再生装置に関し、楽器演奏の練習に好適なオーディオ再生装置を提供することを目的とする。【解決手段】記録媒体に記録されたオーディオ信号を再生するオーディオ再生部と、オーディオ再生部で再生されたオーディオ信号に対して特殊再生のための処理を行うとともに、入力端子に供給されるオーディオ信号に特殊効果を施す処理を行い、特殊再生処理されたオーディオ信号と該特殊効果が施されたオーディオ信号とを合成して出力する処理部とを有することを特徴とする。【選択図】  図６
2004220708.tif 000002
【特許請求の範囲】
【請求項１】
記録媒体に記録されたオーディオ信号を再生するオーディオ再生部と、
前記オーディオ再生部での再生を制御しつつ、再生されたオーディオ信号に対して特殊再生のための処理を行うとともに、入力端子に供給されるオーディオ信号に特殊効果を施す処理を行い、該特殊再生処理されたオーディオ信号と該特殊効果が施されたオーディオ信号とを合成して出力する処理部とを有することを特徴とするオーディオ再生装置。
【請求項２】
前記処理部に前記特殊再生及び／又は前記特殊効果の指示及びその度合い指示する指示部を有することを特徴とする請求項１記載のオーディオ再生装置。
【請求項３】
少なくとも前記オーディオ再生部と前記処理部とは、一体化されたことを特徴とする請求項１又は２記載のオーディオ再生装置。
【請求項４】
前記オーディオ再生部は、前記記録媒体からディジタルオーディオデータを再生し、
前記処理部は、前記ディジタルオーディオデータに対してディジタル処理を行い、特殊再生のための処理を施すことを特徴とする請求項１乃至３のいずれか一項記載のオーディオ再生装置。
【請求項５】
前記処理部は、前記入力端子に供給されたオーディオ信号の音程と基準となる音程との差分を検出し、
前記処理部で検出された前記入力端子に供給されたオーディオ信号の音程と基準となる音程との差分を表示する表示部を有することを特徴とする請求項１乃至４のいずれか一項記載のオーディオ再生装置。
【請求項６】
前記入力端子に供給されるアナログオーディオ信号をディジタルオーディオデータに変換するアナログ−ディジタル変換器を有し、
前記処理部は、前記アナログ−ディジタル変換器で変換されたディジタルオーディオデータにディジタル処理を行い、特殊効果を施すことを特徴とする請求項１乃至５のいずれか一項記載のオーディオ再生装置。
【請求項７】
前記処理部は、前記特殊再生のための処理及び前記特殊効果のための処理をディジタル処理しており、前記特殊再生処理されたディジタルオーディオデータと、前記特殊効果処理されたディジタルオーディオデータとをディジタル的に合成しており、
前記処理部でディジタル的に合成されたディジタルオーディオデータが供給され、該ディジタルオーディオデータをアナログオーディオ信号に変換するディジタル−アナログ変換器を有することを特徴とする請求項１乃至６のいずれか一項記載のオーディオ再生装置。
【請求項８】
前記特殊再生処理は、ループ再生及び／又はキー変更再生及び／又はピッチ変更再生及び／又はテンポ変更再生を含むことを特徴とする請求項１乃至７のいずれか一項記載のオーディオ再生装置。
【請求項９】
前記オーディオ再生部は、前記処理部に装着脱可能とされたことを特徴とする請求項１乃至８のいずれか一項記載のオーディオ再生装置。
【請求項１０】
前記入力端子には、楽器を演奏することにより生成されたオーディオ信号が入力されることを特徴とする請求項１乃至９のいずれか一項記載のオーディオ再生装置。
【発明の詳細な説明】
【０００１】
【発明の属する技術分野】
本発明はオーディオ再生装置に係り、特に、記録媒体に記録されたオーディオ情報を再生するオーディオ再生装置に関する。
【０００２】
【従来の技術】
一般的に、ギターやベース等の楽器を練習する際に、記録媒体に記録された既存の音楽と併せて演奏をする、俗に「コピー演奏」と呼ばれる手法が古くから行われている。演奏者は、もしコピー演奏を行いたい曲の楽譜を入手できれば、その楽譜に従って練習をし、実際に記録媒体に収録されている音楽と併せて演奏する。
【０００３】
また、その楽譜が入手できない場合は、演奏者自身の耳で曲を何度も聞き返して、個々に鳴っている楽器の音程、音長等を聞き取る、俗に「耳コピ」と呼ばれる行為が古くから行われている。楽譜やコード譜を作成する作業はこれに該当する。
【０００４】
従来、一般に流通する通常の音楽は「耳コピ」には演奏の速度が速過ぎたり、多くの音が混じり合っていたりするため、所望の音を聞き取るのは非常に困難である。よって、演奏者が音を拾い上げるのに苦労するため、コピー演奏や耳コピを行うには、高度に熟練した技術を要していた。
【０００５】
コピー演奏や耳コピを容易にするために、ループ再生装置が既に開発されている。このような装置としては、例えば、「アカイプロフェッショナル  エムアイ株式会社製  バリアブル・テンポ／コンスタント・ピッチ・フレーズ・レコーダーＲＩＦＦ−Ｏ−ＭＡＴＩＣ  Ｕ４００」が存在する。この装置は、操作ボタンの操作のタイミングに従って外部入力端子からＣＤプレーヤ等のオーディオ信号を取り込み、ループ再生した上で、取り込んだオーディオ信号のピッチやキーを変更して、所望の音を拾い易くするものである。
【０００６】
【発明が解決しようとする課題】
しかし、このようなループ再生装置では、音源は通常のＣＤプレーヤからアナログオーディオ信号で取り込んでいる。このとき、ループ再生装置とＣＤプレーヤとは、別々の装置であり、別々に操作する必要があるため、極めて短い間隔で音を取り込みたい場合に、ループ再生の開始ポイントと終了ポイントを指定するタイミングが非常に難しくなる。
【０００７】
更に、一旦取り込んでループ再生を行い、所望の範囲（フレーズ）の音を拾い出す作業が終了したら、次のフレーズを耳コピしたい場合が多々ある。
【０００８】
このような場合、再度、ＣＤプレーヤからオーディオ信号をループ再生装置に取り込まなければならず、そのためには、ＣＤプレーヤはポーズ状態にさせなければならない。つまり、ループ再生装置に対してあるフレーズを取り込む作業を行った直後にＣＤプレーヤにポーズをかけておかないといけない。
【０００９】
以上のように、ループ再生装置では、コピー演奏練習や耳コピ作業のための操作が非常に繁雑で、難しいものとなっていた。
【００１０】
本発明は上記の点に鑑みてなされたもので、楽器演奏の練習に好適なオーディオ再生装置を提供することを目的とする。
【００１１】
【課題を解決するための手段】
本発明は、記録媒体に記録されたオーディオ信号を再生するオーディオ再生部と、前記オーディオ再生部での再生動作を制御しつつ、再生されたオーディオ信号に対して特殊再生のための処理を行うとともに、入力端子に供給されるオーディオ信号に特殊効果を施す処理を行い、該特殊再生処理されたオーディオ信号と該特殊効果が施されたオーディオ信号とを合成して出力する処理部とを有することを特徴とする。
【００１２】
本発明によれば、オーディオ再生部での再生動作を制御しつつ、再生されたオーディオ信号に対して特殊再生のための処理を行うとともに、入力端子に供給されるオーディオ信号に特殊効果を施す処理を行い、特殊再生処理されたオーディオ信号と特殊効果が施されたオーディオ信号とを合成して出力することにより、特殊再生を行いつつも、オーディオ信号を連続的に再生することができ、また、楽器などからのオーディオ信号に特殊効果を施してこれらを合成して出力できるので、コピー演奏練習や耳コピ作業のための操作を容易、かつ、簡単に行うことができる。
【００１３】
【発明の実施の形態】
図１は本発明の一実施例のシステム構成図を示す。
【００１４】
本実施例のディジタルオーディオデータ再生装置１は、音楽ＣＤ（ｃｏｍｐａｃｔ  ｄｉｓｃ）１１の再生、及び、電子楽器１２、マイクロフォン１３、ヘッドフォン１４、オーディオ機器１５、フットスイッチ１６、キーボードなど他の入力機器１７などが接続可能とされており、音楽ＣＤ１１に記録された音楽を再生し、接続された電子楽器１２による演奏音やマイクロフォン１３からの入力音を、音楽ＣＤ１１を再生して得られた音楽にミキシングして、ヘッドフォン１４やオーディオ機器１５に出力可能とされている。なお、このとき、ディジタルオーディオデータ再生装置１では、電子楽器１２による演奏音やマイクロフォン１３からの入力音に内蔵エフェクタによりエフェクトをかけることが可能とされている。なお、電子楽器１２は、例えば、エレクトリックギター、エレクトリックベースなどである。
【００１５】
図２〜図５はディジタルオーディオデータ再生装置１の外観図、図６はディジタルオーディオ再生装置１のブロック構成図を示す。図２はディジタルオーディオデータ再生装置１の上面図、図３はディジタルオーディオデータ再生装置１の正面図、図４はディジタルオーディオデータ再生装置１の背面図、図５はディジタルオーディオデータ再生装置１の右側面図を示す。
【００１６】
ディジタルオーディオ再生装置１は、ＣＤ再生部２１、ディジタルデータ処理回路２２、操作部２３、表示部２４、入力アンプ２５、アナログ−ディジタル変換器（ＡＤＣ；ａｎａｌｏｇ−ｄｉｇｉｔａｌ  ｃｏｎｖｅｒｔｅｒ）２６、ディジタル−アナログ変換器（ＤＡＣ；ｄｉｇｉｔａｌ−ａｎａｌｏｇ  ｃｏｎｖｅｒｔｅｒ）２７、アナログ信号合成部２８、ミュートスイッチ２９、出力アンプ３０を含み、これらが同一の筐体内に内蔵された構成とされている。
【００１７】
音楽ＣＤ１１は、ＣＤ再生部２１に装着脱可能とされている。ＣＤ再生部２１は、スピンドルモータ３１、ピックアップ３２、ＣＤ再生処理部３３を含み、例えば、ＡＴＡＰＩインタフェースを備えたＣＤ−ＲＯＭドライブや通常のＣＤプレーヤ、いわゆる、オーディオＣＤドライブから構成されおり、音楽ＣＤ１１からオーディオデータをｎ倍速で再生可能とされている。
【００１８】
ＣＤ再生部２１は、音楽ＣＤ１１をスピンドルモータ３１で回転させて、ピックアップ３２で音楽ＣＤ１１から再生された再生信号を取得し、ＣＤ再生処理部３３でピックアップ３２からの再生信号から再生データをデコードする。ＣＤ再生部２１でデコードされた再生データは、ＡＴＩＰＩインタフェースや単なるオーディオインタフェースによりディジタルデータ処理回路２２に供給される。なお、ＣＤ再生部２１は、ディジタルデータ処理回路２２から、例えば、ＡＴＡＰＩインタフェースにより通信可能とされている。
【００１９】
電子楽器１２は、入力端子Ｔｉｎ１に接続される。入力端子Ｔｉｎ１には電子楽器１２からアナログオーディオ信号が供給される。入力端子Ｔｉｎ１に供給されたアナログオーディオ信号は、入力アンプ２５に供給される。
【００２０】
入力アンプ２５は、アンプ回路４１、及び、帰還抵抗Ｒ１、Ｒ２、並びに、ゲイン切換スイッチ４２を含む構成とされている。入力アンプ２５は、ゲイン切換スイッチ４２を切り換えることによりゲインの切換が可能とされている。ゲイン切換スイッチ４２は、例えば、入力端子Ｔｉｎ１に電子楽器１２を接続する場合と、マイクロフォン１３を接続する場合とで切換が行われる。入力アンプ２５は、ゲイン切換スイッチ４２の切換により入力端子Ｔｉｎ１に電子楽器１２を接続した時には、電子楽器１２に最適なゲインに設定され、入力端子Ｔｉｎ１にマイクロフォン１３を接続した時には、マイクロフォン１３に最適なゲインに設定される。
【００２１】
また、アンプ回路４１は、操作部２３からの指示に応じてゲインが可変されていおり、操作部２３の操作に応じて入力端子Ｔｉｎ１に入力されたアナログオーディオ信号のレベルを調整可能とされている。
【００２２】
入力アンプ２５で増幅されたアナログオーディオ信号は、アナログ−ディジタル変換器２６に供給される。アナログ−ディジタル変換器２６は、入力アンプ２５からのアナログオーディオ信号をディジタルデータに変換する。アナログ−ディジタル変換器２６で変換されたディジタルデータは、ディジタルデータ処理回路２２の入力ポートＰｉｎ２に供給される。
【００２３】
ディジタルデータ処理回路２２は、例えば、専用ＤＳＰ（ｄｉｇｉｔａｌ  ｓｉｇｎａｌ  ｐｒｏｃｅｓｓｏｒ）から構成されており、操作部２３から各種指示が入力され、ＣＤ再生部２１からの再生データに後述する各種処理を施して出力したり、入力端子Ｔｉｎ１から入力された電子楽器１２あるいはマイクロフォン１３からのオーディオ信号に対してエフェクトをかけたりするとともに、それらを合成する処理をディジタル的に行う。
【００２４】
図７はディジタルデータ処理回路２２の機能ブロック図を示す。
【００２５】
ディジタルデータ処理回路２２は、インタフェース５１、メモリ５２、デエンファシス処理部５３、キー／ピッチ／テンポ制御部５４、バランス制御部５５、バッファメモリ５６、入力処理部５７、バッファメモリ５８、エフェクト処理部５９、出力切換部６０、チューニング制御部６１、レベル制御部６２、ディジタルデータ合成部６３、バッファメモリ６４を含む構成とされている。なお、メモリ５２、バッファメモリ５６、５８、６４は、外付けのＲＡＭなどによって構成してもよい。
【００２６】
インタフェース５１は、入出力ポートＰｉｎｏｕｔを通してＣＤ再生部２１との通信制御を行っており、操作部２３から供給される制御指示やメモリ５２の容量に基づいてＣＤ再生部２１に動作制御指示を行うとともに、メモリ５２への再生データの蓄積を制御している。
【００２７】
また、メモリ５２は、リングメモリを構成しており、アンチショックメモリとして機能する。メモリ５２には、ＣＤ再生部２１で再生された再生データが所定量、記憶される。メモリ５２は、前述の如く、リングメモリを構成しており、通常のシーケンシャルな再生の他、ループ再生が可能とされている。
【００２８】
なお、インタフェース５１は再生時にメモリ５２にＣＤ再生部２１からのディジタルオーディオデータが一旦蓄積されると、メモリ５２から蓄積されたディジタルデータを任意の再生速度で読み出す。このとき、メモリ５２は、前述の如く、周知のリングバッファを構成しているので、インタフェース５１はメモリ５２に蓄積されたディジタルオーディオデータの増減に対応してＣＤ再生部２１に対し再生と一時停止の命令を繰り返し、周知の間欠再生処理を行っている。これによって、メモリ５２には常に一定の連続したディジタルオーディオデータが蓄積される。
【００２９】
これによって、特殊再生処理とＣＤ再生部２１の動作を別々に行うことなく特殊再生を行いつつ、音楽ＣＤ１１を連続して再生することが可能となっている。よって、コピー演奏練習や耳コピ作業のための操作が容易となる。
【００３０】
なお、メモリ５２に記憶された再生データは、デエンファシス処理部５３に供給される。デエンファシス処理部５３は、メモリ５２からの再生データにデエンファシス処理を実行する。
【００３１】
デエンファシス処理部５３でデエンファシス処理を施された再生データは、キー／ピッチ／テンポ制御部５４に供給される。キー／ピッチ／テンポ制御部５４には、操作部２３からキー／ピッチ／テンポコントロール指示が供給されている。キー／テンポ制御部５４は、操作部２３からのキー／ピッチ／テンポコントロール指示に基づいてデエンファシス処理部５３からの再生データに処理を施し、キー／ピッチ／テンポを制御する。このとき、キー／ピッチ／テンポ制御部５４は、キー／ピッチ／テンポコントロール指示に基づいてキー／ピッチ／テンポを各々独立に調整が可能な構成とされている。例えば、キー固定してテンポを換えたり、テンポ固定にして、キー／ピッチを可変したりすることができる構成とされている。
【００３２】
キー／ピッチ／テンポ制御部５４でキー／ピッチ／テンポが制御された再生データは、バランス制御部５５に供給される。バランス制御部５５には、操作部２３からバランス制御指示が供給されている。バランス制御部５５は、操作部２３からのバランス制御指示に基づいて例えば、再生データの再生レベルの調整を行い、入力端子Ｔｉｎ１、Ｔｉｎ２からの入力信号とのレベルのバランスを調整制御する。バランス制御部５５でバランスが制御された再生データは、バッファメモリ５６に記憶される。
【００３３】
一方、アナログ−ディジタル変換器２６からの、電子楽器１２の演奏、あるいは、マイクロフォン１３からのオーディオ信号に応じたオーディオデータは、入力処理部５７に供給される。入力処理部５７は、例えば、アナログ−ディジタル変換器２６からのモノラルで供給されたオーディオデータをステレオに変換する。入力処理部５７で処理されたオーディオデータは、バッファメモリ５８に記憶される。バッファメモリ５８に記憶されたデータは、エフェクト処理部５９、出力切換部６０、チューニング制御部６１に供給される。
【００３４】
エフェクト処理部５９は、バッファメモリ５８からオーディオデータを取り込み、操作部２３からのエフェクト処理指示に基づいてエフェクト処理を実行する。エフェクト処理は、例えば、エレキギターなどのエフェクタに設定されている処理が可能であり、パラメータとして、ディストーション、コンプレッサ、トーンコントロール、フランジャ、リバーブ、ディレイ、フェイザ、エキサイタ、ピッチシフト、コーラス、トレモロ、ビブラート、オートワウが設定されている。さらに、エフェクト処理部５９は、マイクロフォン１３から入力されたオーディオ信号に対して種々のエフェクト処理も可能な構成とされている。
【００３５】
また、エフェクト処理部５９には、入力ポートＰｉｎｆが接続されている。入力ポートＰｉｎｆは、入力端子Ｔｉｎ３に接続されている。入力端子Ｔｉｎ３には、フットスイッチ１６が接続される。
【００３６】
エフェクト処理部５９は、入力ポートＰｉｎｆの信号の状態を監視しており、フットスイッチ１６の操作に応じた操作信号によりエフェクト処理のオン／オフや切換などを行うことができる構成とされている。
【００３７】
このようにエフェクト処理部５９は、入力端子Ｔｉｎ１から供給されるオーディオ信号に対して一般的なギターエフェクタと同等の特殊効果をディジタル的に施して出力することが可能とされている。また、ＣＤ再生部２１で音楽ＣＤ１１の再生を行わなければ、通常のギターエフェクタとして使用することもできる。
【００３８】
なお、エフェクト処理は、上記のエフェクト処理に限定されるものではなく、種々の処理が可能である。
【００３９】
エフェクト処理部５９でエフェクト処理されたオーディオデータは、レベル制御部６２に供給される。レベル制御部６２には、操作部２３からエフェクト処理レベル制御指示が供給されている。レベル制御部６２は、操作部２３からのエフェクト処理レベル制御指示に基づいてエフェクト処理部５９で処理されたオーディオデータの出力レベルを制御する。レベル制御部６２でレベル制御されたオーディオデータは、出力切換部６０に供給される。
【００４０】
出力切換部６０には、操作部２３から切換指示が供給されている。出力切換部６０は、操作部２３からの切換指示に基づいてバッファメモリ５８から直に出力されたオーディオデータＤａまたはレベル制御部６２からのエフェクト処理されたオーディオデータＤｂを切換出力する。
【００４１】
図８は出力切換部６０の動作説明図を示す。
【００４２】
操作部２３からの切換指示がエフェクト処理を行わない指示Ｒ１である場合には、出力切換部６０はバッファメモリ５８に記憶されたオーディオデータＤａを選択オーディオデータＤｓとして出力する。また、操作部２３からの切換指示がエフェクト処理を行う指示Ｒ２である場合には、出力切換部６０はレベル制御部６２からのオーディオデータＤｂを選択オーディオデータＤｓとして出力する。さらに、操作部２３からの切換指示がチューニング制御部６１によりチューニングを行う指示Ｒ３である場合には、エフェクトがかかっていないオーディオデータを出力する必要から出力切換部６０はバッファメモリ５８に記憶されたオーディオデータＤａを選択オーディオデータＤｓとして出力する。
【００４３】
出力切換部６０の選択オーディオデータＤｓは、ディジタルデータ合成部６３に供給される。ディジタルデータ合成部６３は、バッファメモリ５６に記憶されたオーディオデータと出力切換部６０の選択オーディオデータＤｓとを合成する。ディジタルデータ合成部６３で合成されたオーディオデータは、バッファメモリ６４に記憶される。バッファメモリ６４に記憶されたオーディオデータは、出力ポートＰｏｕｔ１から出力される。
【００４４】
また、チューニング制御部６１には、バッファメモリ５８に記憶されたオーディオデータが供給される。チューニング制御部６１は、ギターなどのチューニングを行うための制御を行う。チューニング制御部６１は、バッファメモリ５８からのオーディオデータの音程と基準となる音程とを比較し、その差分に応じたチューニングデータを表示部２４に供給する。
【００４５】
表示部２４は、操作パネルＰ上に設けられており、例えば、ＬＣＤ（ｌｉｑｕｉｄ  ｃｒｙｓｔａｌ  ｄｅｖｉｃｅ）パネルから構成されており、ＣＤ再生部２１で再生されている音楽ＣＤ１１の曲数、再生時間、残り時間、動作モードなどの各種情報が表示される。なお、表示部２４は、チューニング動作時には、チューニングデータに基づいて音程のずれを表示する。
【００４６】
図９は表示部２４のチューニング時の表示例を示す図である。
【００４７】
表示部２４は、バッファメモリ５８からのオーディオデータの音程と基準となる音程との差分が零であるチューニングデータを受信したときには、「ｏｎｋｅｙ」を示すドットｄｏｎを表示する。また、表示部２４は、バッファメモリ５８からのオーディオデータの音程が基準となる音程よりフラットにずれている場合には、その差分に応じた分だけフラット側にずれたドットｄ♭を表示する。さらに、表示部２４は、バッファメモリ５８からのオーディオデータの音程が基準となる音程よりシャープ側にずれている場合には、その差分に応じた分だけフラット側にずれたドットｄ♯を表示する。
【００４８】
なお、チューニング制御部６１は、オートモード及びマニュアルモードの２つのチューニングモードを有する。
【００４９】
オートモードは、バッファメモリ５８からのオーディオデータの音程に基づいてどの音程にチューニングしたいかを自動認識し、基準となる音程を設定するモードである。また、マニュアルモードは、操作部２３の操作によって基準となる音程を設定するモードである。
【００５０】
出力ポートＰｏｕｔ１から出力されたオーディオデータは、ディジタル−アナログ変換器２７に供給される。ディジタル−アナログ変換器２７は、ディジタルデータ処理回路２２からのディジタルオーディオデータをアナログオーディオ信号に変換する。
【００５１】
ディジタル−アナログ変換器２７で変換されたアナログオーディオ信号は、アナログ信号合成部２８に供給される。また、アナログ信号合成部２８には、入力端子Ｔｉｎ２からアナログオーディオ信号が供給される。アナログ信号合成部２８は、ディジタル−アナログ変換器２７で変換されたアナログオーディオ信号と入力端子Ｔｉｎ２から供給されたアナログオーディオ信号とを合成して出力する。アナログ信号合成部２８で合成されたアナログオーディオ信号は、ミュートスイッチ２９に供給される。
【００５２】
ミュートスイッチ２９には、操作部２３からミュート指示が供給されている。ミュートスイッチ２９は、操作部２３からのミュート指示に応じてオン／オフし、アナログオーディオ信号の出力を制御する。ミュートスイッチ２９から出力されたアナログオーディオ信号は、出力アンプ３０に供給される。
【００５３】
出力アンプ３０には、操作部２３から出力レベル制御指示が供給されている。出力アンプ３０は、操作部２３からの出力レベル制御指示に応じてゲインが制御され、出力アナログオーディオ信号レベルを制御する。出力アンプ３０の出力アナログオーディオ信号は、出力端子Ｔｏｕｔ１、Ｔｏｕｔ２に供給される。出力端子Ｔｏｕｔ１、Ｔｏｕｔ２は、例えば、ステレオミニジャックから構成されている。出力端子Ｔｏｕｔ１には、例えば、ヘッドフォン１４が接続され、出力端子Ｔｏｕｔ２には、例えば、オーディオ機器１５が接続される。
次に操作部２３について詳細に説明する。
操作部２３は、図２に示すように十字カーソルキー７１、ディスプレイ／エスケープボタン７２と、再生／ポーズボタン７３、停止ボタン７４、スキップ／サーチボタン７５、ループボタン７６、キューボタン７７、ループ指定ボタン７８、エフェクトバンク指定ボタン７９、エフェクト番号指定ボタン８０を含む構成とされている。
【００５４】
十字カーソルキー７１は、ディジタルデータ処理回路２２に対して入力端子Ｔｉｎ１に供給されるギターなどからのオーディオ信号に対してかけるエフェクトの種類を指定したり、ＣＤ再生部２１で再生されるオーディオ信号のキー／ピッチ／テンポを変更する指定を行ったり、入力端子Ｔｉｎ１に供給されるギター／ベース等のチューニングを行うための楽器用チューナ機能の呼び出し、実行を指示したり、  ＣＤ再生部２１に対する再生モードの指定、例えば、  全曲ループ再生を行うか否かなどの指定を行ったりする。
【００５５】
ディスプレイ／エスケープボタン７２は、十字カーソルキー７１と組み合わせて、前述の各種指令を実行した後にその指令状態から抜け出す、いわゆる、エスケープの指令を行う。
【００５６】
また、通常状態においてディスプレイ／エスケープボタン７２を押すと、表示部２４に表示される音楽ＣＤ１１の再生時間が、トラック経過時間／トラック残り時間／合計残り時間で切り換えることができる。再生／ポーズボタン７３と停止ボタン７４は、周知のＣＤプレーヤなどに備わっているものと等しく、各々再生／ポーズ／停止の指令をＣＤ再生部２１に行う。
スキップ／サーチボタン７６も、周知のＣＤプレーヤに備わっているキュー／レビュー／トラックスキップボタンと等しく、ＣＤ再生部２１にて再生している曲（トラック）の再生位置を再生音と共に移動させたり、トラックを前後にスキップさせたりするための指示を行うためのボタンである。ループボタン７６は、リピート再生動作を指示するためのボタンである。
【００５７】
ループボタン７６によりリピート再生動作が指定されている状態において、ＣＤ再生部２１で再生している曲を聞きながらループ指定ボタン７８が２回押されると、リピート再生したい部分が指定される。すなわち、ループ指定ボタン７８を１回押すと、その時点の音楽ＣＤ１１上のアドレスがリピート再生開始位置となり、ループ指定ボタン７８をもう１回押すと、その時点の音楽ＣＤ１１上のアドレスがリピート再生終了位置となり、各々のアドレスがメモリ５２に記憶される。そして、メモリ５２内のディジタルオーディオデータのうち、このアドレスの範囲に含まれるデータがディジタルデータ処理回路２２にてループ再生される。
【００５８】
キューボタン７７は、キュー再生を指定するボタンである。再生／ポーズボタン７３を押した時のディスク上のアドレスは、メモリ５２に記憶されている。キューボタン７７を押すことで、メモリ５２に記憶されている再生／ポーズボタン７３を押した時のアドレスまで戻って、再生を再開したり、一時停止（ポーズ）させたりすることができる。
【００５９】
また、ＣＤ再生部２１で再生している曲を聞きながら再生／ポーズボタン７３を押して一旦ポーズ状態にさせ、もう一度再生／ポーズボタン７３を押すと、メモリ５２にはその時点のアドレスが記憶される。この操作により、キュー再生の開始位置を変更することができる。
【００６０】
また、エフェクトバンク指定ボタン７９とエフェクト番号指定ボタン８０は、ディジタルデータ処理回路２２に内蔵されているプログラムメモリに記憶されているエフェクト用プログラムのうち、操作者（演奏者）が使いたいエフェクト処理を呼び出して一時記憶するためのボタンである。
【００６１】
また、筐体右側面には、図５に示すように操作部２３を構成する電源スイッチ９０、ギタースイッチ９１、ホールドスイッチ９２、ギター／マイク切換スイッチ９３が設けられている。さらに、筺体正面には、図３に示すように操作部２３を構成する入力レベル制御スイッチ９４、出力レベル制御スイッチ９５が設けられている。また、筺体正面には、入力端子Ｔｉｎ１〜Ｔｉｎ３、出力端子Ｔｏｕｔ１、Ｔｏｕｔ２が設けられている。
【００６２】
電源スイッチ９０は、周知の電源のオン／オフ操作の為のものである。ギタースイッチ９１は、ＣＤ再生部２１を通常のＣＤプレーヤとしてのみ使いたい場合に操作される。ギタースイッチ９１をオフ操作することで、入力アンプ２５、アナログ−ディジタル変換器２６への電力供給が停止されると共に、ディジタルデータ処理回路２２に対してＣＤ再生部２１への制御動作のみを行わせる指示が行われ、ディジタルデータ処理回路２２は、いわゆるパワーセーブ状態になる。
【００６３】
ホールドスイッチ９２は、操作パネルＰ上にある全ての操作ボタンの入力動作の許可／禁止を制御するためのスイッチである。特に、ＣＤ再生部２１を通常のＣＤプレーヤとして携帯使用する際に、誤って操作されないようにするときに使用される。
【００６４】
また、筺体裏面には図４に示すように電源コネクタ９６が設けられている。電源コネクタ９６にはＡＣアダプタから直流電源が供給される。ディジタルオーディオ再生装置１は、ＡＣアダプタからの直流電源により駆動される。なお、ＡＣアダプタからの直流電源に限らず、電池により駆動することも可能とされている。
【００６５】
次に、全体の装置処理動作について説明する。
【００６６】
操作パネルＰ上の再生／ポーズボタン７３を押すと、再生命令がディジタルデータ処理回路２２へ送られる。ディジタルデータ処理回路２２は、再生／ポーズボタン７３の操作に応じてＣＤ再生部２１に装着されている音楽ＣＤ１１を１曲目から再生するべく、ＣＤ再生部２１へ再生命令を発行する。ＣＤ再生部２１は、これに呼応して装着されている音楽ＣＤ１１の第１トラックを通常再生速度のおよそ２倍程度の速度にて再生し、再生されたディジタルオーディオデータをオーディオデータ処理回路２２に供給する。
【００６７】
ディジタルデータ処理回路２２は、このディジタルオーディオデータを受けて、メモリ５２へ格納すると共に、メモリ５２からディジタルオーディオデータを読み出し、デエンファシス処理部５３に供給する。ディジタルデータ処理回路２２はメモリ５２のデータ格納状態を常時監視し、ＣＤ再生部２１に対して再生命令と一時停止命令を繰り返し行い、周知の間欠再生動作を行う。
【００６８】
操作パネルＰ上の十字カーソルキー７１を操作し、キー／ピッチ／テンポの変更指示を行うと、ディジタルデータ処理回路２２はキー／ピッチ／テンポ制御部５４を制御して、メモリ５２から読み出したディジタルオーディオデータに対して、キー変更処理あるいはピッチ変更処理あるいはテンポ変更処理を行う。
また、入力端子Ｔｉｎ１から入力されるギター等の楽器のオーディオ信号は、入力アンプ２５を通じてアナログ−ディジタル変換器２６に入力され、ディジタルオーディオデータとされ、ディジタルデータ処理回路２２に入力される。
ディジタルデータ処理回路２２では、予め操作者（演奏者）によって指定されたエフェクト処理をアナログ−ディジタル変換器２６からのディジタルオーディオデータに施す。
エフェクト処理されたディジタルオーディオデータは、メモリ５２から得られるキー変更処理あるいはピッチ変更処理あるいはテンポ変更処理が行われたディジタルオーディオデータと、ディジタルデータ処理回路２２内にて混合処理が行われた後、ディジタル−アナログ変換器２７へ出力される。
この時点でディジタルデータ処理回路２２は、ＣＤ再生部２１からメモリ５２へ格納されたオーディオ信号の特殊再生処理及びギター等の楽器に対するエフェクト処理並びに特殊再生処理された音楽ＣＤ１１からのオーディオ信号とエフェクト処理されたオーディオ信号とのミキシング処理が行われている。
【００６９】
以上のようにループ再生や再生キー／再生ピッチ／再生テンポが変更される特殊再生状態において、更に、ループボタン７６が押下されることで、ディジタルデータ処理回路２２はループ開始位置及び終了位置の入力を待つ。
【００７０】
この状態においてループ指定ボタン７８を２回押すことで、ディジタルデータ処理回路２２はその時点の音楽ＣＤ１１上のアドレスをリピート再生開始位置及びリピート再生終了位置として、メモリ５２に記憶させる。
【００７１】
リピート再生終了位置が記憶された時点で、ディジタルデータ処理回路２２はＣＤ再生部２１に対し、リピート開始位置からのリピート再生命令を発行する。また、このとき、ディジタルデータ処理回路２２は、メモリ５２内のディジタルオーディオデータに対する特殊再生処理及びギター等の楽器に対するエフェクト処理並びに特殊再生処理されたディジタルオーディオデータとエフェクト処理されたディジタルオーディオデータとをミキシングする処理を行っている。
【００７２】
以上、本実施例によれば、音楽ＣＤ１１の特殊再生処理と、ギター等の楽器に対するエフェクト処理と、各々の音のミキシング処理を単一のディジタルデータ処理回路２２内で処理することにより、演奏者がコピー演奏または耳コピしたい曲を特殊再生し、それと併せて、当該曲にて鳴っている楽器の音色に近い音色にて楽器を演奏し、その音を確認することができる。これにより、再生オーディオにおける楽器の音程及び音長を確認する作業の確実性を高められる。
以上のように、本実施例のオーディオ再生装置は、楽器練習や耳コピ作業を助けるツールとして極めて有効に機能する。
【００７３】
なお、チューニング制御部６１でのチューニングの結果に基づいてキー／ピッチ／テンポ制御部５４によりキー／ピッチを調整して、楽器のキー／ピッチとＣＤ再生部２１で再生されるオーディオ信号のキー／ピッチとを自動的に一致させるようにキー／ピッチを設定するようにしてもよい。
【００７４】
また、本実施例では、ＣＤ再生部２１と特殊再生、特殊効果のための回路を同じ筐体内に内蔵させたが、ＣＤ再生部２１を分離可能としてもよい。
【００７５】
図１０はオーディオ再生装置の変形例のブロック構成図を示す。同図中、図６と同一構成部分には同一符号を付し、その説明は省略する。
【００７６】
本変形例のオーディオ再生装置１００は、ＣＤ再生装置１０１と特殊処理装置１０２とから構成されている。
【００７７】
ＣＤ再生装置１０１は、スピンドルモータ３１、ピックアップ３２、ＣＤ再生処理部３３の他に、操作部１１１、表示部１１２、コネクタ１１３、接続機構１１４を含む構成とされている。ＣＤ再生装置１０１は、操作部１１１の操作により特殊処理装置１０２とは独立に音楽ＣＤ１１を再生し、再生データをディジタル−アナログ変換器などによりアナログ信号に変換した後、音声出力端子Ｔｏｕｔ１１から出力する構成とされている。この音声出力端子Ｔｏｕｔ１１には、ヘッドフォン１４などが接続可能な構成とされている。
【００７８】
また、特殊処理装置１０２には、コネクタ１１３に結合可能とされたコネクタ１２１が設けられている。コネクタ１２１は、インタフェースに準拠したコネクタであり、ディジタルデータ処理回路２２の入出力ポートＰｉｎｏｕｔと接続されている。このコネクタ１２１を介してディジタルデータ処理回路２２とＣＤ再生装置１０１との通信が行われ、特殊再生処理と協働して、ＣＤ再生装置１０１の再生動作が制御される。
【００７９】
また、ＣＤ再生装置１０１と特殊処理装置１０２とは接続機構１１４により着脱可能とされている。なお、ＣＤ再生装置１０１と特殊処理装置１０２とは、夫々に電源を内蔵しており、独立に駆動可能な構成とされている。
【００８０】
本変形例によれば、ＣＤ再生装置１０１と特殊処理装置１０２とを夫々に独立に使用することが可能である。
【００８１】
なお、本実施例では、特殊再生処理の音源として、ＣＤを再生するＣＤ再生装置を例に説明を行ったが、これに限定されるものではなく、ＭＤ、ＤＶＤ、カセットテープなど他の記録媒体を再生する再生装置で構成することも可能である。さらに、ＣＤ−Ｒ、ＣＤ−ＲＷ、ＤＶＤ−ＲＡＭドライブなどの記録機能を有する装置を適用することもできる。このような記録機能を有する装置を用いた場合には、処理したオーディオ信号を記録するようにすることもできる。
【００８２】
【発明の効果】
上述の如く、本発明によれば、オーディオ再生部での再生動作を制御しつつ、再生されたオーディオ信号に対して特殊再生のための処理を行うとともに、入力端子に供給されるオーディオ信号に特殊効果を施す処理を行い、特殊再生処理されたオーディオ信号と特殊効果が施されたオーディオ信号とを合成して出力することにより、特殊再生を行いつつも、オーディオ信号を連続的に再生することができ、また、楽器などからのオーディオ信号に特殊効果を施してこれらを合成して出力できるので、コピー演奏練習や耳コピ作業のための操作を容易、かつ、簡単に行うことができる等の特長を有する。
【図面の簡単な説明】
【図１】本発明の一実施例のシステム構成図である。
【図２】オーディオ再生装置１の上面図である。
【図３】オーディオ再生装置１の正面図である。
【図４】オーディオ再生装置１の背面図である。
【図５】オーディオ再生装置１の右側面図である。
【図６】オーディオ再生装置１のブロック構成図である。
【図７】ディジタルデータ処理回路２２の機能ブロック図である。
【図８】切換制御部６０の動作説明図である。
【図９】表示部２４のチューニング時の表示例を示す図である。
【図１０】オーディオ再生装置の変形例のブロック構成図である。
【符号の説明】
１  オーディオ再生装置
１１  音楽ＣＤ、１２電子楽器、１３  マイクロフォン、１４  ヘッドフォン
１５  オーディオ機器、１６  フットスイッチ、１７  入力装置
２１  ＣＤ再生部、２２  ディジタルデータ処理回路、２３  操作部
２４  表示部、２５  入力アンプ、２６  アナログ−ディジタル変換器
２７  ディジタル−アナログ変換器、２８  アナログ信号合成部
２９  ミュートスイッチ、３０  出力アンプ
３１  スピンドルモータ、３２  ピックアップ、３３  ＣＤ再生処理部
４１  オペアンプ、４２  ゲイン切換スイッチ
５１  インタフェース、５２  メモリ、５３  デエンファシス処理部
５４  キー／ピッチ／テンポ制御部、５５  バランス制御部
５６、５８、６４  バッファメモリ、５７  入力処理部
５９  エフェクト処理部、６０  出力切換部、６１  チューニング制御部
６２  レベル制御部、６３  ディジタルデータ合成部
【図１】
2004220708.tif 000003
【図２】
2004220708.tif 000004
【図３】
2004220708.tif 000005
【図４】
2004220708.tif 000006
【図５】
2004220708.tif 000007
【図６】
2004220708.tif 000008
【図７】
2004220708.tif 000009
【図８】
2004220708.tif 000010
【図９】
2004220708.tif 000011
【図１０】
2004220708.tif 000012